(57)【要約】【課題】シェードの透過率の制御を良好に行うことができる透過型表示装置、表示方法および表示プログラムを提供する。【解決手段】透過型表示装置は、外界からの光を画像取り出しエリアに透過させ、且つ、画像形成部により画像取り出しエリアに出力する画像光の画像を形成し、当該形成された画像の光を画像取り出しエリアに出力し、且つ、光の透過率が可変であるシェード４２０により設定された透過率で外界からの光のレベルを変化させて画像取り出しエリアに通過させる表示部と、画像形成部により形成される画像の光の強度を決定する値である光強度決定値を固定とする第１のモードと、光強度決定値を可変とする第２のモードを決定し、第１のモードにおいては、光強度決定値を固定して、シェードの透過率を制御し、第２のモードにおいては、光強度決定値を可変として、シェードの透過率を制御する制御部２３０と、を備える。【選択図】図３
2013122519.tif 000002
【特許請求の範囲】
【請求項１】
外界からの光を画像取り出しエリアに透過させ、且つ、画像形成部により前記画像取り出しエリアに出力する画像光の画像を形成し、当該形成された画像の光を前記画像取り出しエリアに出力し、且つ、光の透過率が可変であるシェードにより設定された透過率で前記外界からの光のレベルを変化させて前記画像取り出しエリアに通過させる表示部と、
前記画像形成部により形成される画像の光の強度を決定する値である光強度決定値を固定とする第１のモードと、当該光強度決定値を可変とする第２のモードを決定し、前記第１のモードにおいては、前記光強度決定値を固定して、前記シェードの透過率を制御し、前記第２のモードにおいては、前記光強度決定値を可変として、前記シェードの透過率を制御する制御部と、
を備えることを特徴とする透過型表示装置。
【請求項２】
さらに、前記外界からの光のレベルと前記シェードを通過した透過光のレベルとの一方または両方を検出するセンサーを備え、
前記制御部は、前記第１のモードにおいては、前記光強度決定値を固定して、前記センサーによる検出結果に基づいて、前記シェードの透過率を制御し、前記第２のモードにおいては、前記光強度決定値を可変として、前記センサーによる検出結果に基づいて、前記シェードの透過率および前記光強度決定値を制御する、
ことを特徴とする請求項１に記載の透過型表示装置。
【請求項３】
さらに、電源を備え、
前記制御部は、前記電源の残りの容量を検出し、当該検出した前記電源の残りの容量に基づいて、あらかじめ定められた判定方法により、前記電源の残りの容量が少ないと判定した場合には、前記第１のモードを決定し、前記電源の残りの容量が多いと判定した場合には、前記第２のモードを決定する、
ことを特徴とする請求項１または請求項２に記載の透過型表示装置。
【請求項４】
前記制御部は、さらに、前記第１のモードおよび前記第２のモードにおいて、ガンマ値を制御する、
ことを特徴とする請求項１から請求項３のいずれか１項に記載の透過型表示装置。
【請求項５】
前記画像形成部により形成される画像の光の強度を決定する値である光強度決定値として、表示素子に対する光源の輝度の値を用いる、
ことを特徴とする請求項１から請求項４のいずれか１項に記載の透過型表示装置。
【請求項６】
前記表示部は、ユーザーの頭部に装着される表示装置に備えられ、
前記表示部は、表示素子と、前記表示素子からの画像光を投射する投射レンズと、前記投射レンズに対して固定されて前記投射レンズからの画像光を前記画像取り出しエリアに導く導光部と、を備え、
前記導光部を介して前記表示素子からの画像光の画像と外界からの光の画像とを同時に観察可能であるように構成され、
前記画像形成部は、前記画像を生成する前記表示素子と、前記表示素子により生成される前記画像を表す画像光を射出させる光源と、を含み、
前記制御部は、光強度決定値の制御として、前記光源の輝度の値を段階的に変化させることで前記画像形成部の輝度を調整し、また、前記シェードの透過率を段階的に変化させ、前記光源の輝度の制御と前記シェードの透過率の制御とのコンビネーションにより最適化する、
ことを特徴とする請求項１から請求項５のいずれか１項に記載の透過型表示装置。  
【請求項７】
表示部が、外界からの光を画像取り出しエリアに透過させ、且つ、画像形成部により前記画像取り出しエリアに出力する画像光の画像を形成し、当該形成された画像の光を前記画像取り出しエリアに出力し、且つ、光の透過率が可変であるシェードにより設定された透過率で前記外界からの光のレベルを変化させて前記画像取り出しエリアに通過させるステップと、
制御部が、前記画像形成部により形成される画像の光の強度を決定する値である光強度決定値を固定とする第１のモードと、当該光強度決定値を可変とする第２のモードを決定し、前記第１のモードにおいては、前記光強度決定値を固定して、前記シェードの透過率を制御し、前記第２のモードにおいては、前記光強度決定値を可変として、前記シェードの透過率を制御するステップと、
を有することを特徴とする透過型表示装置における表示方法。
【請求項８】
外界からの光を画像取り出しエリアに透過させ、且つ、画像形成部により前記画像取り出しエリアに出力する画像光の画像を形成し、当該形成された画像の光を前記画像取り出しエリアに出力し、且つ、光の透過率が可変であるシェードにより設定された透過率で前記外界からの光のレベルを変化させて前記画像取り出しエリアに通過させる表示部について、
制御部が、前記画像形成部により形成される画像の光の強度を決定する値である光強度決定値を固定とする第１のモードと、当該光強度決定値を可変とする第２のモードを決定し、前記第１のモードにおいては、前記光強度決定値を固定して、前記シェードの透過率を制御し、前記第２のモードにおいては、前記光強度決定値を可変として、前記シェードの透過率を制御する手順を、
コンピューターに実行させるための透過型表示装置における表示プログラム。
【発明の詳細な説明】
【技術分野】
【０００１】
本発明は、透過型（シースルー型）表示装置、表示方法および表示プログラムに関する。
【背景技術】
【０００２】
特許文献１には、前方を透視する透視部を透過型液晶表示部材により形成し、外光量に応じて当該透過型液晶表示部材の透光量を調整する電子サングラスが開示されている（特許文献１参照。）。
【先行技術文献】
【特許文献】
【０００３】
【特許文献１】特開平８−１３６８８３号公報
【発明の概要】
【発明が解決しようとする課題】
【０００４】
しかしながら、特許文献１に開示されている電子サングラスは、頭部装着型表示装置（ＨＭＤ：ヘッドマウントディスプレイ）ではなく、バックライト（ＢＬ）などについては考慮されていない。このため、ヘッドマウントディスプレイのようなものでは、シェードの透過率の制御について、更なる開発が要求されていた。
【０００５】
本発明は、前記の点に鑑みてなされたものであり、シェードの透過率の制御を良好に行うことができる透過型表示装置、表示方法および表示プログラムを提供することを目的とする。
【課題を解決するための手段】
【０００６】
本発明は、上記の課題を解決するためになされたものであり、外界からの光を画像取り出しエリアに透過させ、且つ、画像形成部により前記画像取り出しエリアに出力する画像光の画像を形成し、当該形成された画像の光を前記画像取り出しエリアに出力し、且つ、光の透過率が可変であるシェードにより設定された透過率で前記外界からの光のレベルを変化させて前記画像取り出しエリアに通過させる表示部と、前記画像形成部により形成される画像の光の強度を決定する値である光強度決定値を固定とする第１のモードと、当該光強度決定値を可変とする第２のモードを決定し、前記第１のモードにおいては、前記光強度決定値を固定して、前記シェードの透過率を制御し、前記第２のモードにおいては、前記光強度決定値を可変として、前記シェードの透過率を制御する制御部と、を備えることを特徴とする透過型表示装置である。
【０００７】
この構成により、制御部は、画像形成部により形成される画像の光の強度を決定する値である光強度決定値を固定とする第１のモードと、当該光強度決定値を可変とする第２のモードを決定し、第１のモードにおいては、前記光強度決定値を固定して、シェードの透過率を制御し、第２のモードにおいては、前記光強度決定値を可変として、シェードの透過率を制御する。これにより、透過型表示装置は、シェードの透過率の制御を良好に行うことができる。また、透過型表示装置は、例えば、光強度決定値を固定とする第１のモードと、光強度決定値を可変とする第２のモードを使い分けることで、低消費電力化を図ることが可能である。
【０００８】
また、本発明は、さらに、前記外界からの光のレベルと前記シェードを通過した透過光のレベルとの一方または両方を検出するセンサーを備え、前記制御部は、前記第１のモードにおいては、前記光強度決定値を固定して、前記センサーによる検出結果に基づいて、前記シェードの透過率を制御し、前記第２のモードにおいては、前記光強度決定値を可変として、前記センサーによる検出結果に基づいて、前記シェードの透過率および前記光強度決定値を制御する、ことを特徴とする透過型表示装置である。
【０００９】
この構成により、制御部は、第１のモードにおいては、前記光強度決定値を固定して、センサーによる検出結果に基づいて、シェードの透過率を制御し、第２のモードにおいては、前記光強度決定値を可変として、センサーによる検出結果に基づいて、シェードの透過率および前記光強度決定値を制御する。これにより、透過型表示装置は、シェードの透過率の制御を良好に行うことができる。透過型表示装置は、例えば、外界からの光のレベルとシェードを通過した透過光のレベルとの一方または両方に基づいて、シェードの透過率を適度に制御することが可能である。
【００１０】
また、本発明は、さらに、電源を備え、前記制御部は、前記電源の残りの容量を検出し、当該検出した前記電源の残りの容量に基づいて、あらかじめ定められた判定方法により、前記電源の残りの容量が少ないと判定した場合には、前記第１のモードを決定し、前記電源の残りの容量が多いと判定した場合には、前記第２のモードを決定する、ことを特徴とする透過型表示装置である。
【００１１】
この構成により、制御部は、電源の残りの容量を検出し、当該検出した電源の残りの容量に基づいて、あらかじめ定められた判定方法により、電源の残りの容量が少ないと判定した場合には、第１のモードを決定し、電源の残りの容量が多いと判定した場合には、第２のモードを決定する。これにより、透過型表示装置は、シェードの透過率の制御を良好に行うことができる。透過型表示装置は、例えば、電源の残りの容量に応じて、低消費電力化を図ることが可能である。
【００１２】
また、本発明は、前記制御部は、さらに、前記第１のモードおよび前記第２のモードにおいて、ガンマ値を制御する、ことを特徴とする透過型表示装置である。
【００１３】
この構成により、制御部は、第１のモードおよび第２のモードにおいて、ガンマ値を制御する。これにより、透過型表示装置は、シェードの透過率の制御を良好に行うことができる。また、透過型表示装置は、例えば、ガンマ値を適度に制御することが可能である。
【００１４】
また、本発明は、前記画像形成部により形成される画像の光の強度を決定する値である光強度決定値として、表示素子に対する光源の輝度の値を用いる、ことを特徴とする透過型表示装置である。
【００１５】
この構成により、制御部は、表示素子に対する光源の輝度の値を固定とする第１のモードと、表示素子に対する光源の輝度の値を可変とする第２のモードを決定し、第１のモードにおいては、表示素子に対する光源の輝度の値を固定して、シェードの透過率を制御し、第２のモードにおいては、表示素子に対する光源の輝度の値を可変として、シェードの透過率を制御する。これにより、透過型表示装置は、シェードの透過率の制御を良好に行うことができる。また、透過型表示装置は、例えば、表示素子に対する光源の輝度の値を固定とする第１のモードと、表示素子に対する光源の輝度の値を可変とする第２のモードを使い分けることで、低消費電力化を図ることが可能である。
【００１６】
また、本発明は、前記表示部は、ユーザーの頭部に装着される表示装置に備えられ、前記表示部は、表示素子と、前記表示素子からの画像光を投射する投射レンズと、前記投射レンズに対して固定されて前記投射レンズからの画像光を前記画像取り出しエリアに導く導光部と、を備え、前記導光部を介して前記表示素子からの画像光の画像と外界からの光の画像とを同時に観察可能であるように構成され、前記画像形成部は、前記画像を生成する前記表示素子と、前記表示素子により生成される前記画像を表す画像光を射出させる光源と、を含み、前記制御部は、光強度決定値の制御として、前記光源の輝度の値を段階的に変化させることで前記画像形成部の輝度を調整し、また、前記シェードの透過率を段階的に変化させ、前記光源の輝度の制御と前記シェードの透過率の制御とのコンビネーションにより最適化する、ことを特徴とする透過型表示装置である。
【００１７】
この構成により、制御部は、画像形成部により形成される画像の光の強度を決定する値である光強度決定値を固定とする第１のモードと、当該光強度決定値を可変とする第２のモードを決定し、第１のモードにおいては、前記光強度決定値を固定して、シェードの透過率を制御し、第２のモードにおいては、前記光強度決定値を可変として、シェードの透過率を制御する。これにより、透過型表示装置は、シェードの透過率の制御を良好に行うことができる。また、透過型表示装置は、例えば、光強度決定値を固定とする第１のモードと、光強度決定値を可変とする第２のモードを使い分けることで、低消費電力化を図ることが可能である。
【００１８】
また、本発明は、表示部が、外界からの光を画像取り出しエリアに透過させ、且つ、画像形成部により前記画像取り出しエリアに出力する画像光の画像を形成し、当該形成された画像の光を前記画像取り出しエリアに出力し、且つ、光の透過率が可変であるシェードにより設定された透過率で前記外界からの光のレベルを変化させて前記画像取り出しエリアに通過させるステップと、制御部が、前記画像形成部により形成される画像の光の強度を決定する値である光強度決定値を固定とする第１のモードと、当該光強度決定値を可変とする第２のモードを決定し、前記第１のモードにおいては、前記光強度決定値を固定して、前記シェードの透過率を制御し、前記第２のモードにおいては、前記光強度決定値を可変として、前記シェードの透過率を制御するステップと、を有することを特徴とする透過型表示装置における表示方法である。
【００１９】
この方法により、制御部が、画像形成部により形成される画像の光の強度を決定する値である光強度決定値を固定とする第１のモードと、当該光強度決定値を可変とする第２のモードを決定し、第１のモードにおいては、前記光強度決定値を固定して、シェードの透過率を制御し、第２のモードにおいては、前記光強度決定値を可変として、シェードの透過率を制御する。これにより、透過型表示装置は、シェードの透過率の制御を良好に行うことができる。また、透過型表示装置は、例えば、光強度決定値を固定とする第１のモードと、光強度決定値を可変とする第２のモードを使い分けることで、低消費電力化を図ることが可能である。
【００２０】
また、本発明は、外界からの光を画像取り出しエリアに透過させ、且つ、画像形成部により前記画像取り出しエリアに出力する画像光の画像を形成し、当該形成された画像の光を前記画像取り出しエリアに出力し、且つ、光の透過率が可変であるシェードにより設定された透過率で前記外界からの光のレベルを変化させて前記画像取り出しエリアに通過させる表示部について、制御部が、前記画像形成部により形成される画像の光の強度を決定する値である光強度決定値を固定とする第１のモードと、当該光強度決定値を可変とする第２のモードを決定し、前記第１のモードにおいては、前記光強度決定値を固定して、前記シェードの透過率を制御し、前記第２のモードにおいては、前記光強度決定値を可変として、前記シェードの透過率を制御する手順を、コンピューターに実行させるための透過型表示装置における表示プログラムである。
【００２１】
このプログラムにより、制御部が、画像形成部により形成される画像の光の強度を決定する値である光強度決定値を固定とする第１のモードと、当該光強度決定値を可変とする第２のモードを決定し、第１のモードにおいては、前記光強度決定値を固定して、シェードの透過率を制御し、第２のモードにおいては、前記光強度決定値を可変として、シェードの透過率を制御する。これにより、透過型表示装置は、シェードの透過率の制御を良好に行うことができる。また、透過型表示装置は、例えば、光強度決定値を固定とする第１のモードと、光強度決定値を可変とする第２のモードを使い分けることで、低消費電力化を図ることが可能である。
【００２２】
以上のように、本発明によれば、透過型表示装置は、画像形成部により形成される画像の光の強度を決定する値である光強度決定値を固定とする第１のモードと、当該光強度決定値を可変とする第２のモードを決定し、第１のモードにおいては、前記光強度決定値を固定して、シェードの透過率を制御し、第２のモードにおいては、前記光強度決定値を可変として、シェードの透過率を制御する。これにより、透過型表示装置は、シェードの透過率の制御を良好に行うことができる。また、透過型表示装置は、例えば、光強度決定値を固定とする第１のモードと、光強度決定値を可変とする第２のモードを使い分けることで、低消費電力化を図ることが可能である。
【図面の簡単な説明】
【００２３】
【図１】本発明の一実施形態に係る透過型表示装置の外観図である。
【図２】本発明の一実施形態に係る表示装置の左眼用表示部の構成例を示す平面図である。
【図３】本発明の一実施形態に係る透過型表示装置の概略的な構成例を示すブロック図である。
【図４】本発明の一実施形態に係るシェードの透過率とビット値との対応の一例を示す図である。
【図５】本発明の一実施形態に係るバックライト輝度と外光照度とシェードの透過光照度の関係の一例を示す図である。
【図６】本発明の一実施形態に係る透過型表示装置において行われる処理の手順の一例を示すフローチャート図である。
【図７】本発明の一実施形態に係る透過型表示装置の外観図である。
【図８】本発明の一実施形態に係る透過型表示装置の一部の概略的な構成例を示すブロック図である。
【図９】本発明の一実施形態に係る透過型表示装置の外観図である。
【図１０】本発明の一実施形態に係る透過型表示装置の外観図である。
【図１１】本発明の一実施形態に係る透過型表示装置の一部の概略的な構成例を示すブロック図である。
【図１２】本発明の一実施形態に係る透過型表示装置の一部の概略的な構成例を示すブロック図である。
【発明を実施するための形態】
【００２４】
本発明の一実施形態について図面を参照して詳細に説明する。
図１は、本発明の一実施形態に係る透過型表示装置（本実施形態では、透過型のヘッドマウントディスプレイ）の外観図である。
本実施形態に係る透過型表示装置は、眼鏡のような形状を有する表示装置１００と、ユーザー（人）の手で持つことが可能な程度の大きさを有する制御装置（コントローラー）２００と、を備える。
【００２５】
また、表示装置１００と制御装置２００とは、有線または無線で、通信可能に接続される。
本実施形態では、表示装置１００の左眼側と右眼側のそれぞれと制御装置２００とが有線のケーブルで通信可能に接続されている。そして、表示装置１００の左眼側と右眼側のそれぞれと制御装置２００とは、このケーブルを介して、画像の信号（画像信号）や制御の信号（制御信号）を通信する。
【００２６】
表示装置１００は、左眼用の表示部（左眼用表示部）１１０Ａと、右眼用の表示部（右眼用表示部）１１０Ｂと、右眼側に設けられた外光センサー６５０と、右眼側に設けられた透過光センサー６６０と、を備える。
制御装置２００は、操作部２１０と、操作ボタン部２５０と、を備える。
【００２７】
左眼用表示部１１０Ａは、左眼用の画像形成部（左眼用画像形成部）１０Ａと、左眼用の導光部（図２に示される左眼用導光部２０Ａ）と、左眼用の反射部（左眼用反射部）２１Ａと、左眼用のシェード（左眼用シェード）４２０Ａと、を備える。
右眼用表示部１１０Ｂは、右眼用の画像形成部（右眼用画像形成部）１０Ｂと、右眼用の導光部（図２に示される左眼用導光部２０Ａと同様な右眼用導光部）と、右眼用の反射部（右眼用反射部）２１Ｂと、右眼用のシェード（右眼用シェード）４２０Ｂと、を備える。
【００２８】
ここで、本実施形態では、外光センサー６５０と透過光センサー６６０を右眼側に設ける構成を示すが、他の構成例として、外光センサー６５０と透過光センサー６６０とのうちの一方または両方を左眼側に設けることもできる。また、他の構成例として、左眼用の外光センサーおよび左眼用の透過光センサーを左眼側に設け、右眼用の外光センサーおよび右眼用の透過光センサーを右眼側に設けることもできる。
【００２９】
図２は、本発明の一実施形態に係る表示装置１００の左眼用表示部１１０Ａの構成例を示す平面図である。また、図２には、表示装置１００を装着するユーザー（人）の左眼３１０Ａを示してある。
なお、本実施形態において右眼側に設けられる外光センサー６５０および透過光センサー６６０を除いて、左眼用表示部１１０Ａと右眼用表示部１１０Ｂとは互いに左右対称の構成を有しており、ここでは、左眼用表示部１１０Ａの構成例についてのみ説明する。
【００３０】
左眼用画像形成部１０Ａは、左眼用の画像生成部（左眼用画像生成部）１１Ａと、左眼用の投射光学系（左眼用投射光学系）１２Ａと、を備える。
左眼用画像生成部１１Ａは、左眼用のバックライトの光源（左眼用バックライト光源）４１０Ａと、左眼用の光変調素子（左眼用光変調素子）４１１Ａと、を備える。
【００３１】
左眼用バックライト光源４１０Ａは、本実施形態では、赤色、緑色および青色といった発光色ごとの光源の集合から構成されている。各光源としては、例えば、発光ダイオード（ＬＥＤ：Ｌｉｇｈｔ Ｅｍｉｔｔｉｎｇ Ｄｉｏｄｅ）などを用いることができる。本実施形態では、左眼用バックライト光源４１０Ａは、ＬＥＤから構成されている。
左眼用光変調素子４１１Ａとしては、例えば、液晶表示デバイス（液晶の表示素子）などを用いることができる。本実施形態では、左眼用光変調素子４１１Ａは、液晶ディスプレイ（ＬＣＤ：Ｌｉｑｕｉｄ  Ｃｒｙｓｔａｌ  Ｄｉｓｐｌａｙ）から構成されている。
【００３２】
図１および図２を参照して、本実施形態に係る透過型表示装置の概略を説明する。
左眼用画像生成部１１Ａには、制御装置２００から左眼用の画像信号が入力される。
左眼用画像生成部１１Ａにおいて、左眼用バックライト光源４１０Ａの各光源が、赤色光、緑色光および青色光を射出する。また、左眼用画像生成部１１Ａは、左眼用バックライト光源４１０Ａの各光源から射出された赤色光、緑色光および青色光を拡散させて、左眼用光変調素子４１１Ａに投射する。左眼用光変調素子４１１Ａは、制御装置２００から左眼用画像生成部１１Ａに入力された画像信号に応じて、投射された赤色光、緑色光および青色光を空間変調することにより、当該画像信号に応じた画像光を射出する。
左眼用投射光学系１２Ａは、例えば、入力される画像光を投射する投射レンズの群から構成され、左眼用画像生成部１１Ａの左眼用光変調素子４１１Ａから射出された画像光を投射して、平行な状態の光束にする。
【００３３】
左眼用導光部２０Ａは、左眼用投射光学系１２Ａにより平行な状態の光束にされた画像光を、左眼用反射部２１Ａが有する三角プリズムのあらかじめ定められた面（半透過反射面）に投射する。ここで、左眼用反射部２１Ａに形成されている半透過反射面の表裏のうち、装着時にユーザーの左眼３１０Ａに向く側には、ミラー層などの反射コーティングが施されている。左眼用反射部２１Ａに形成されている半透過反射面に投射された画像光は、この反射コーティングされた面により、ユーザーの左眼３１０Ａに向けて全反射される。これにより、左眼用反射部２１Ａのあらかじめ定められた位置のエリア（画像取り出しエリア）には、投射された画像光に応じた画像光が出力される。
【００３４】
本実施形態では、左眼用導光部２０Ａの導光板により伝達される画像光が左眼用反射部２１Ａに形成されている半透過反射面により反射され、その反射光がユーザーの左眼３１０Ａに入って、その左眼３１０Ａの網膜上に虚像を形成する。
なお、本実施形態では、左眼用導光部２０Ａは、左眼用投射光学系１２Ａに対して固定され、当該左眼用投射光学系１２Ａからの画像光を所定の位置に導く。
【００３５】
また、左眼用反射部２１Ａに外界から入射する光の少なくとも一部は、左眼用反射部２１Ａに形成されている前記した半透過反射面を透過し、ユーザーの左眼３１０Ａに導かれる。これにより、ユーザーには、左眼用画像形成部１０Ａにより形成された画像と、外界からの光学像とが重畳されて見える。
また、左眼用シェード４２０Ａは、その透過率に応じて、外界から左眼用反射部２１Ａの方（ユーザーの左眼３１０Ａの方）に入射する光を低減させる。
【００３６】
ユーザーは、表示装置１００を頭部に装着することにより、表示装置１００の画像取り出しエリア（左眼用反射部２１Ａの画像取り出しエリア、右眼用反射部２１Ｂの画像取り出しエリア）から出力される画像光に応じた画像が表示されているように見えることで、その画像を認識することができる。また、ユーザーは、表示装置１００の画像取り出しエリア（左眼用反射部２１Ａの画像取り出しエリア、右眼用反射部２１Ｂの画像取り出しエリア）に外界からの光の少なくとも一部が透過させられることにより、表示装置１００を頭部に装着したまま、外界を見ることができる。すなわち、外界からの光が画像取り出しエリア（左眼用反射部２１Ａの画像取り出しエリア、右眼用反射部２１Ｂの画像取り出しエリア）を透過することが可能である。
このように、ユーザーは、導光部（左眼用導光部２０Ａ、それと同様な右眼用導光部）を介して、透過型表示装置による表示対象の画像と外界の画像とを同時に見る（観察する）ことが可能であり、虚像を視認することができる。また、ユーザーは、制御装置２００の操作部２１０や操作ボタン部２５０に対して操作入力をすることができる。
【００３７】
ここで、左眼用画像形成部１０Ａは、装着時にユーザーの頭部の左側に位置するように、表示装置１００の左側のテンプル部に備えられる。左眼用画像形成部１０Ａは、ユーザーの左眼用に画像を形成し、形成した画像の光を左眼用反射部２１Ａのあらかじめ定められた位置（画像取り出しエリアの位置）に向けて出力する。
左眼用反射部２１Ａの画像取り出しエリアは、装着時にユーザーの左眼３１０Ａの前に位置するように、表示装置１００の左側のリム部に設けられる。
【００３８】
また、右眼用画像形成部１０Ｂは、装着時にユーザーの頭部の右側に位置するように、表示装置１００の右側のテンプル部に備えられる。右眼用画像形成部１０Ｂは、ユーザーの右眼用に画像を形成し、形成した画像の光を右眼用反射部２１Ｂのあらかじめ定められた位置（画像取り出しエリアの位置）に向けて出力する。
右眼用反射部２１Ｂの画像取り出しエリアは、装着時にユーザーの右眼の前に位置するように、表示装置１００の右側のリム部に設けられる。
【００３９】
以下で、本実施形態に係る透過型表示装置について、より詳しく説明する。
図３は、本発明の一実施形態に係る透過型表示装置の概略的な構成例を示すブロック図である。
制御装置２００は、操作部２１０と、操作ボタン部２５０のほかに、制御部２３０と、記憶部２４０と、電源部２６０と、を備える。
また、制御装置２００では、操作部２１０と操作ボタン部２５０とのうちの一方または両方により、ユーザーからの操作入力を受け付ける操作入力部２７０が構成される。
【００４０】
表示装置１００は、画像生成部（左眼用画像生成部１１Ａ、右眼用画像生成部１１Ｂ）が有するバックライト光源（左眼用バックライト光源４１０Ａ、右眼用バックライト光源４１０Ｂ）および光変調素子（左眼用光変調素子４１１Ａ、右眼用光変調素子４１１Ｂ）と、表示部（左眼用表示部１１０Ａ、右眼用表示部１１０Ｂ）が有するシェード（左眼用シェード４２０Ａ、右眼用シェード４２０Ｂ）に相当するシェード部４２０と、外光センサー６５０と、透過光センサー６６０のほかに、左眼用の光変調素子コントローラー（左眼用光変調素子コントローラー）６２０Ａと、右眼用の光変調素子コントローラー（右眼用光変調素子コントローラー）６２０Ｂと、左眼用のバックライト光源ドライバー（左眼用バックライト光源ドライバー）６３０Ａと、右眼用のバックライト光源ドライバー（右眼用バックライト光源ドライバー）６３０Ｂと、シェードドライバー６４０と、を備える。
【００４１】
ここで、図３では、概略的な構成例を示してあり、図２に示される、画像形成部（左眼用画像形成部１０Ａ、右眼用画像形成部１０Ｂ）が有する投射光学系（左眼用投射光学系１２Ａ、それと同様な右眼用投射光学系）、導光部（左眼用導光部２０Ａ、それと同様な右眼用導光部２０Ｂ）、反射部（左眼用反射部２１Ａ、右眼用反射部２１Ｂ）については、図示を省略してある。
【００４２】
また、図３に示される、光変調素子コントローラー（左眼用光変調素子コントローラー６２０Ａ、右眼用光変調素子コントローラー６２０Ｂ）、バックライト光源ドライバー（左眼用バックライト光源ドライバー６３０Ａ、右眼用バックライト光源ドライバー６３０Ｂ）は、例えば、左眼用と右眼用ごとに、画像生成部（左眼用画像生成部１１Ａ、右眼用画像生成部１１Ｂ）に備えられる。
【００４３】
本実施形態では、バックライト光源（左眼用バックライト光源４１０Ａ、右眼用バックライト光源４１０Ｂ）としてＬＥＤを用いており、バックライト光源ドライバー（左眼用バックライト光源ドライバー６３０Ａ、右眼用バックライト光源ドライバー６３０Ｂ）としてＬＥＤのドライバー（ＬＥＤドライバー）を用いている。
また、本実施形態では、光変調素子（左眼用光変調素子４１１Ａ、右眼用光変調素子４１１Ｂ）としてＬＣＤを用いており、光変調素子コントローラー（左眼用光変調素子コントローラー６２０Ａ、右眼用光変調素子コントローラー６２０Ｂ）として、ＬＣＤのコントローラー（ＬＣＤコントローラー）を用いている。
【００４４】
また、本実施形態におけるシェード部４２０では、左眼用シェード４２０Ａと右眼用シェード４２０Ｂとが一体として構成されている。
図３におけるシェード部４２０には、このような左右が一体型のシェードをユーザーの視覚方向で見た外観例（シェードの外観例５１０）と、これを上から見た外観例（シェードの外観例５２０）を示してある。これら２つのシェードの外観例５１０、５２０は、単一のシェードの外観例を示す。
また、上から見た外観例（シェードの外観例５２０）では、シェードの透過率を制御するための電極７１０、７１１を示してある。
【００４５】
また、図３に示される、シェードドライバー６４０は、本実施形態では、右眼用画像生成部１１Ｂに備えられる。
なお、本実施形態では、左眼用シェード４２０Ａと右眼用シェード４２０Ｂとが一体として構成されているため、この左右が一体型のシェードに対して単一のシェードドライバー６４０を備えたが、他の構成例として、左眼用シェード４２０Ａと右眼用シェード４２０Ｂとが別体として構成される場合には、例えば、左眼用のシェードドライバー（左眼用シェードドライバー）と右眼用のシェードドライバー（右眼用シェードドライバー）を備える。この場合、左眼用シェードドライバーは、例えば、左眼用画像生成部１１Ａに備えられ、また、右眼用シェードドライバーは、例えば、右眼用画像生成部１１Ｂに備えられる。
【００４６】
本実施形態に係る透過型表示装置における各構成部について説明する。
まず、表示装置１００について説明する。
左眼用表示部１１０Ａに備えられた左眼用画像形成部１０Ａ、左眼用導光部２０Ａ、左眼用反射部２１Ａ、左眼用シェード４２０Ａ（本実施形態では、左右が一体型のシェード部４２０）、左眼用画像形成部１０Ａに備えられた左眼用画像生成部１１Ａ、左眼用投射光学系１２Ａ、左眼用画像生成部１１Ａに備えられた左眼用バックライト光源４１０Ａ、左眼用光変調素子４１１Ａは、図１および図２を参照して説明したような構成を有しており動作を行う。
【００４７】
また、右眼用表示部１１０Ｂに備えられた右眼用画像形成部１０Ｂ、右眼用導光部、右眼用反射部２１Ｂ、右眼用シェード４２０Ｂ（本実施形態では、左右が一体型のシェード部４２０）、右眼用画像形成部１０Ｂに備えられた右眼用画像生成部１１Ｂ、右眼用投射光学系、右眼用画像生成部１１Ｂに備えられた右眼用バックライト光源４１０Ｂ、右眼用光変調素子４１１Ｂは、左眼用について図１および図２を参照して説明したのと同様な構成を有しており動作を行う。
【００４８】
外光センサー６５０は、外界の光（環境光）のレベルを検出し、その検出結果を制御装置２００の制御部２３０に送信する。
ここで、外光センサー６５０により検出する環境光のレベルとしては、例えば、環境光の照度のレベルを用いることができる。
なお、本実施形態では、外光センサー６５０は、シェード部４２０の右端付近における外界側に備えられている。
【００４９】
本実施形態では、外光センサー６５０は、外界からシェード（本実施形態では、右眼用シェード４２０Ｂ）および画像取り出しエリア（本実施形態では、右眼用反射部２１Ｂの画像取り出しエリア）への方向と同じ（または、ほぼ同じ）方向の環境光を検出するように配置されている。これにより、外光センサー６５０は、外界からシェード（本実施形態では、右眼用シェード４２０Ｂ）および画像取り出しエリア（本実施形態では、右眼用反射部２１Ｂの画像取り出しエリア）に入射される環境光のレベル（または、それに応じたレベル）を検出する。
【００５０】
透過光センサー６６０は、外界の光（環境光）がシェード（本実施形態では、右眼用シェード４２０Ｂ）を通過した後の光（透過光）のレベルを検出し、その検出結果を制御装置２００の制御部２３０に送信する。
ここで、透過光センサー６６０により検出する環境光のレベルとしては、例えば、外光センサー６５０と同様に、光の照度のレベルを用いることができる。
なお、本実施形態では、透過光センサー６６０は、シェード部４２０の右端付近における内側（ユーザーの眼（目）の側）に備えられている。これにより、透過光センサー６６０は、例えば、シェードの透過率に応じて当該シェードを通して、実際にユーザーの眼に入ってくる外光（環境光）のレベルを検出する。
【００５１】
また、例えば、透過光センサー６６０により検出する光には、画像取り出しエリア（左眼用反射部２１Ａの画像取り出しエリア、右眼用反射部２１Ｂの画像取り出しエリア）に出力される画像の光（映像光）が含まれない方が好ましい場合には、透過光センサー６６０に対して映像光側に光を遮断する部材を備えるのが良い。
【００５２】
なお、本実施形態では、左右が一体型のシェード部４２０に対して、単一の外光センサー６５０および単一の透過光センサー６６０を備えたが、他の構成例として、左眼用の外光センサー（左眼用外光センサー）および左眼用の透過光センサー（左眼用透過光センサー）と、右眼用の外光センサー（右眼用外光センサー）および右眼用の透過光センサー（右眼用透過光センサー）とを別体で備えることもできる。
この場合、左眼用外光センサーおよび左眼用透過光センサーは、左眼用シェード４２０Ａに対して備えられ、例えば、左眼用外光センサーは、左眼用シェード４２０Ａの左端付近における外界側に備えられ、また、左眼用透過光センサーは、左眼用シェード４２０Ａの左端付近における内側（ユーザーの眼の側）に備えられる。同様に、右眼用外光センサーおよび右眼用透過光センサーは、右眼用シェード４２０Ｂに対して備えられ、例えば、右眼用外光センサーは、右眼用シェード４２０Ｂの右端付近における外界側に備えられ、また、右眼用透過光センサーは、右眼用シェード４２０Ｂの右端付近における内側（ユーザーの眼の側）に備えられる。
【００５３】
ここで、外光センサー６５０や透過光センサー６６０を備える位置としては、それぞれ、様々な位置が用いられてもよい。
また、左右が一体型のシェード部４２０に対して、外光センサーや透過光センサーを左眼側と右眼側とのうちの一方のみに備えてもよく、または、左眼側と右眼側との両方に備えてもよい。
また、他の構成例として、左右が別体の左眼用シェードと右眼用シェードを用いる場合においても、外光センサーや透過光センサーを左眼側と右眼側とのうちの一方のみに備えてもよく、または、左眼側と右眼側との両方に備えてもよい。
【００５４】
左眼側と右眼側とのうちの一方に外光センサーや透過光センサーを備える場合には、例えば、当該外光センサーにより検出される結果や当該透過光センサーにより検出される結果を、左眼側と右眼側とで共通の情報として使用する。
また、左右が一体型のシェード部４２０を用いる構成において、左眼側と右眼側とのそれぞれについて、別体で、外光センサーや透過光センサーを備える場合には、例えば、左眼側の外光センサーにより検出される結果と右眼側の外光センサーにより検出される結果とのうちの一方または両方を考慮した情報や、左眼側の透過光センサーにより検出される結果と右眼側の透過光センサーにより検出される結果とのうちの一方または両方を考慮した情報を使用する。
また、左右が別体の左眼用シェード部および右眼用シェード部を用いる構成において、左眼側と右眼側とのそれぞれについて、別体で、外光センサーや透過光センサーを備える場合には、例えば、左眼側の外光センサーにより検出される結果や左眼側の透過光センサーにより検出される結果を左眼用シェード部に対する情報として使用し、右眼側の外光センサーにより検出される結果や右眼側の透過光センサーにより検出される結果を右眼用シェード部に対する情報として使用する。
【００５５】
左眼用光変調素子コントローラー６２０Ａは、制御装置２００の制御部２３０により制御されて、例えば左眼用の画像信号に応じた画像を表示させるように、左眼用光変調素子４１１Ａを制御する。
右眼用光変調素子コントローラー６２０Ｂは、制御装置２００の制御部２３０により制御されて、例えば右眼用の画像信号に応じた画像を表示させるように、右眼用光変調素子４１１Ｂを制御する。
【００５６】
左眼用バックライト光源ドライバー６３０Ａは、制御装置２００の制御部２３０により制御されて、左眼用バックライト光源４１０Ａを制御する。
右眼用バックライト光源ドライバー６３０Ｂは、制御装置２００の制御部２３０により制御されて、右眼用バックライト光源４１０Ｂを制御する。
【００５７】
シェードドライバー６４０は、制御装置２００の制御部２３０により制御されて、シェード部４２０を制御する。
本実施形態では、シェードドライバー６４０は、制御装置２００の制御部２３０により制御されて、シェード部４２０の透過率を制御する。本実施形態では、左眼用シェード４２０Ａと右眼用シェード４２０Ｂとが一体（シェード部４２０）であり、これらの両方について、透過率を同じ値に制御する。
【００５８】
シェード部４２０（左眼用シェード４２０Ａ、右眼用シェード４２０Ｂ）は、その透過率が可変であり、外からの制御（本実施形態では、シェードドライバー６４０からの制御）により、その透過率が変化する。
具体的には、シェード部４２０の電極７１０、７１１に印加する電圧を制御することで、シェードの透過率の設定値を制御することができる。なお、シェード部４２０は、このように電極７１０、７１１を持たせることで、制御部２３０との通信が可能となり、シェード自体の状態（本実施形態では、透過率）を制御部２３０に通知することが可能である。
ここで、透過率を可変（自在）に制御することが可能なシェード部４２０（左眼用シェード４２０Ａ、右眼用シェード４２０Ｂ）は、例えば、液晶、あるいは、エレクトロクロミック物質などを用いて構成することができる。
【００５９】
次に、制御装置２００について説明する。
操作部２１０は、制御装置２００の筐体に備えられた操作面に対する操作入力を検出し、その検出結果を制御部２３０に出力する。
ここで、操作部２１０は、例えば、操作入力をするユーザーの指が触れた操作面上の位置を、操作面上の絶対座標で検出する。操作部２１０は、例えば、トラックパッドである。
【００６０】
操作ボタン部２５０は、複数の操作ボタンを備える。各操作ボタンは、ユーザーにより押下されることにより、押下された操作ボタンにあらかじめ対応付けられた処理を示す信号を制御部２３０に出力する。
【００６１】
記憶部２４０は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などを用いて構成されており、各種の情報を記憶する。具体的には、記憶部２４０は、例えば、制御部２３０により実行されるプログラムの情報、各種の処理で使用される情報を記憶する。
【００６２】
電源部２６０は、制御装置２００および表示装置１００に備えられた電源を必要とする各構成部に、電源を供給する。本実施形態では、電源部２６０は、電池（バッテリー）を用いている。
ここで、透過型表示装置（表示装置１００および制御装置２００）における電源の構成としては、様々な構成が用いられてもよい。例えば、電源部２６０は、制御装置２００ではなく表示装置１００に備えられてもよく、または、制御装置２００と表示装置１００の両方に電源部が備えられてもよい。
【００６３】
制御部２３０は、制御装置２００における各種の処理を実行する。制御部２３０は、例えば、ＣＰＵ（Ｃｅｎｔｒａｌ  Ｐｒｏｃｅｓｓｉｎｇ  Ｕｎｉｔ）などを用いて構成される。
具体的には、制御部２３０は、例えば、操作部２１０から操作入力の検出結果が入力された場合に当該検出結果に応じた処理を実行する機能、操作ボタン部２５０において押下された操作ボタンにあらかじめ対応付けられた処理を示す信号が入力された場合に当該信号に応じた処理を実行する機能、記憶部２４０に情報を書き込む機能および記憶部２４０に記憶された情報を読み出す機能、電源部２６０から各構成部への電源の供給の状態を制御する機能を有する。
【００６４】
また、制御部２３０は、電源部２６０の残りの容量（本実施形態では、電池容量と言う）を検出する機能を有している。
ここで、本実施形態では、制御部２３０は、透過型表示装置（表示装置１００および制御装置２００）における電源の全ての残りの容量（単一の電源部２６０の残りの容量）を検出するが、他の構成例として、複数の電源部が備えられるような場合に、あらかじめ定められた一部の電源部の残りの容量のみを検出する構成が用いられてもよい。
【００６５】
また、制御部２３０は、例えば、外光センサー６５０から入力される環境光のレベルの検出結果を取得する機能、透過光センサー６６０から入力される光のレベル（環境光がシェード（本実施形態では、右眼用シェード４２０Ｂ）を通過した後の光のレベル）の検出結果を取得する機能を有する。
これにより、制御部２３０では、これらの検出結果の情報を使用する演算を行うことが可能である。
【００６６】
また、制御部２３０は、例えば、表示装置１００によりユーザーに対して表示させる画像について、左眼用画像生成部１１Ａに左眼用の画像信号を出力する機能、右眼用画像生成部１１Ｂに右眼用の画像信号を出力する機能を有する。
本実施形態では、制御部２３０は、左眼用の画像信号を左眼用光変調素子コントローラー６２０Ａに出力し、右眼用の画像信号を右眼用光変調素子コントローラー６２０Ｂに出力する。
ここで、ユーザーに対して同時に表示させる左眼用の画像信号と右眼用の画像信号とは、例えば、同一の画像信号であってもよく、または、画像の視差などに応じて異なる画像信号であってもよい。
【００６７】
また、表示装置１００により表示する画像としては、様々な内容の画像が用いられてもよい。
具体的には、表示装置１００により表示する画像としては、例えば、映画などの動画のコンテンツの画像などを用いることができる。文字メッセージなどの画像は、例えば、コンテンツの画像に対して、オンスクリーンディスプレイ（ＯＳＤ）で表示することも可能である。
【００６８】
また、制御部２３０は、例えば、左眼用バックライト光源４１０Ａの各光源から射出する光の輝度（バックライトの輝度）を制御する機能、右眼用バックライト光源４１０Ｂの各光源から射出する光の輝度（バックライトの輝度）を制御する機能を有する。
本実施形態では、制御部２３０は、左眼用バックライト光源ドライバー６３０Ａに制御のための信号（制御信号）を出力することで、左眼側のバックライト輝度を制御し、また、右眼用バックライト光源ドライバー６３０Ｂに制御のための信号（制御信号）を出力することで、右眼側のバックライト輝度を制御する。
【００６９】
また、制御部２３０は、シェードの透過率（本実施形態では、左眼用シェード４２０Ａおよび右眼用シェード４２０Ｂの透過率）を制御する機能を有する。
本実施形態では、制御部２３０は、シェードドライバー６４０に制御のための信号（制御信号）を出力することで、シェードの透過率を制御する。
【００７０】
ここで、本実施形態では、左眼用シェード４２０Ａと右眼用シェード４２０Ｂとが一体（シェード部４２０）であり、これらの両方について、透過率を同じ値に制御するが、他の構成例として、左眼用シェード４２０Ａと右眼用シェード４２０Ｂとが別体である場合には、例えば、制御部２３０は、左眼用シェード４２０Ａの透過率を制御する機能と、右眼用シェード４２０Ｂの透過率を制御する機能とを、独立した機能として有してもよい。
【００７１】
具体例として、制御部２３０は、所望するシェードの透過率に対応するビット値の信号を制御信号として使用してシェードドライバー６４０に出力することで、シェードの透過率を制御する。
ここで、本実施形態では、記憶部２４０がシェードの透過率とビット値との対応の情報を記憶し、制御部２３０が記憶部２４０に記憶されたシェードの透過率とビット値との対応の情報を参照して使用する。
【００７２】
図４は、本発明の一実施形態に係るシェードの透過率とビット値との対応の一例を示す図である。
この例では、幾つかの透過率［％］の値（例えば、０、１０、２０など）と、それぞれの透過率の値を実現するための４ビットからなるビット値（例えば、００００、０００１、００１０など）との対応を示してある。
なお、図４に示す対応は一例であり、他の様々なものが用いられてもよい。
【００７３】
また、制御部２３０は、例えば、外光センサー６５０から入力される環境光のレベルの検出結果と、透過光センサー６６０から入力される光のレベル（環境光がシェード（本実施形態では、右眼用シェード４２０Ｂ）を通過した後の光のレベル）の検出結果に基づいて、実際のシェードの透過率（環境光に対する透過光の割合）を算出し、制御信号により実現しようとした透過率と等しい（または、近い）か否かを確認することもできる。
【００７４】
また、制御部２３０は、左眼用に表示する画像のガンマ（γ）値を制御する機能、右眼用に表示する画像のガンマ（γ）値を制御する機能を有する。
本実施形態では、制御部２３０は、例えば、左眼用の画像信号を補正することで、左眼用に表示する画像のガンマ値を制御し、また、右眼用の画像信号を補正することで、右眼用に表示する画像のガンマ値を制御する。
ここで、本実施形態では、左眼用に表示する画像のガンマ値と右眼用に表示する画像のガンマ値を同じ値に制御するが、他の構成例として、左眼用に表示する画像のガンマ値と右眼用に表示する画像のガンマ値とをそれぞれ独立に制御する構成が用いられてもよい。
【００７５】
本実施形態では、制御部２３０は、あらかじめ定められた判定方法の例として、電源の残りの容量を検出した結果に基づいて、検出した電源の残りの容量があらかじめ定められた閾値以下である場合には、バックライト輝度を固定的に設定して、外光（環境光）の照度に応じて、シェードの透過率とガンマ値を制御する。本実施形態では、このような制御のモードを第１のモードと言う。  一方、本実施形態では、制御部２３０は、あらかじめ定められた判定方法の例として、電源の残りの容量を検出した結果に基づいて、検出した電源の残りの容量があらかじめ定められた閾値より大きい場合には、外光（環境光）の照度に応じて、シェードの透過率とバックライト輝度とガンマ値を制御する。本実施形態では、このような制御のモードを第２のモードと言う。
【００７６】
図５は、本発明の一実施形態に係るバックライト輝度（ＢＬ輝度）と外光照度とシェードの透過光照度の関係の一例を示す図である。
図５に示すグラフにおいて、横軸は外光の照度（外光照度）を表し、縦軸はシェードの透過光の照度（透過光照度）を表す。
また、このグラフにおいて、縦軸には、幾つかのＢＬ輝度を示してある。この例では、ＢＬ輝度ｉ（ｉ＝２、４、６、８、１０、・・・、Ｎ）は、ｉ番目のステップの輝度の大きさを表す（Ｎは１１以上の整数）。この例では、ｉが大きいほど、大きい輝度を表す。
【００７７】
このグラフでは、シェードの透過率が一定である特性の例として、シェードの透過率が１００％である特性２００１、シェードの透過率が６０％である特性２００２、シェードの透過率が２０％である特性２００３を示してある。
また、このグラフにおいて、縦軸における各ＢＬ輝度ｉに対応した値は、当該各ＢＬ輝度ｉに対して適度な透過光照度を表す。
【００７８】
制御部２３０により行われるシェードの透過率およびＢＬ輝度の制御の例を示す。
制御部２３０により行われるシェードの透過率およびＢＬ輝度の制御の一例として、外光照度が１００００［ｌｘ］である場合に、グラフ中における透過率が１００％である点１００１では、ＢＬ輝度Ｎが適している。これについて、シェードの透過率を２０％に設定すると、グラフ中における透過率が２０％である点１００２が最適となり、ＢＬ輝度４で最適な映像（画像）を楽しむことができる。この場合に、現在においてＢＬ輝度６であるときには、ＢＬ輝度４に下げる。これにより、低消費電力化を図ることができる。
【００７９】
制御部２３０により行われるシェードの透過率およびＢＬ輝度の制御の他の一例として、外光照度が５００［ｌｘ］である場合に、グラフ中における透過率が１００％である点１０１１では、ＢＬ輝度１０が適している。これについて、シェードの透過率を６０％に設定すると、グラフ中における透過率が６０％である点１０１２が最適となり、ＢＬ輝度８で最適な映像（画像）を楽しむことができる。この場合に、現在においてＢＬ輝度８であるときには、そのままとする。
【００８０】
本実施形態に係る透過型表示装置において行われる動作の例について説明する。
図６は、本発明の一実施形態に係る透過型表示装置において行われる処理の手順の一例を示すフローチャート図である。  制御部２３０は、電源部２６０の残りの容量（電池容量）を検出し、検出した電源部２６０の残りの容量に基づいて、あらかじめ定められた判定方法により、電源部２６０の残りの容量が少ないと判定した場合には、第１のモードを決定し、電源部２６０の残りの容量が多いと判定した場合には、第２のモードを決定する（ステップＳ１）。
【００８１】
本実施形態では、前記あらかじめ定められた判定方法の一例として、制御部２３０は、電源部２６０の残りの容量（電池容量）を検出した結果に基づいて、検出した電池容量があらかじめ定められた閾値以下であるか否かを判定する（ステップＳ１）。
ここで、この閾値（電池容量に関する閾値）としては、任意の値が用いられてもよく、例えば、あらかじめ定められた程度で電源の残りの容量が少なくなったときの値が用いられ、一例として、電池の残りの容量が５０％に相当する値などを用いることができる。
【００８２】
なお、ステップＳ１の処理（電池容量に関する判定の処理）を行うタイミングとしては、任意のタイミングが用いられてもよい。一例として、ステップＳ１の処理（電池容量に関する判定の処理）を、本実施形態に係る透過型表示装置の電源がオフからオンに切り替えられたときのタイミングで行うことができる。他の一例として、ステップＳ１の処理（電池容量に関する判定の処理）を、あらかじめ定められた一定の期間ごとのタイミングで繰り返して行うことができる。
【００８３】
本実施形態では、バックライトの輝度の制御に関して、第１のモードとして、バックライトの輝度を固定的に設定するモード（バックライト輝度固定モード）を使用し、また、第２のモードとして、バックライトの輝度を可変に設定するように制御するモード（バックライト輝度制御モード）を使用する。
【００８４】
ステップＳ１の処理における判定の結果、制御部２３０は、検出した電池容量があらかじめ定められた閾値以下であると判定した場合には、バックライトの輝度を固定的に設定するモード（本実施形態において、第１のモードに相当するバックライト輝度固定モード）を使用する（ステップＳ２）。
ここで、バックライト輝度固定モードにおいて固定的に設定されるバックライト輝度としては、任意の値が用いられてもよく、例えば、あらかじめ定められた低い輝度が用いられる。
【００８５】
バックライト輝度固定モードでは、制御部２３０は、ステップＳ３〜ステップＳ９の処理を行う。
すなわち、制御部２３０は、外光照度を検出（測定）し、あらかじめ定められたように、外光照度の検出結果について、明るいか、暗いか、あるいは、激しく変化するか、を判定する（ステップＳ３）。
【００８６】
ここで、制御部２３０が、外光照度を検出する方法としては、様々な方法が用いられてもよい。
一例として、制御部２３０は、外光照度の検出結果として、外光センサー６５０から入力される環境光のレベル（例えば、照度のレベル）の検出結果を使用する。
他の一例として、制御部２３０は、外光照度の検出結果として、透過光センサー６６０から入力される光のレベル（例えば、照度のレベル）の検出結果と、シェードの透過率から計算される値を使用する。この計算の式としては、例えば、｛（環境光のレベルの検出結果）＝（透過光のレベルの検出結果）／（シェードの透過率）｝を用いることができる。
【００８７】
さらに他の一例として、制御部２３０は、外光照度の検出結果として、外光センサー６５０から入力される環境光のレベル（例えば、照度のレベル）の検出結果と、透過光センサー６６０から入力される光のレベル（例えば、照度のレベル）の検出結果とから、あらかじめ定められた方法（例えば、計算式など）に基づいて決定される値を用いることもできる。
なお、制御部２３０は、例えば、あらかじめ定められた期間における外光照度の検出結果を平均化した結果を、外光照度の検出結果として、使用することもできる。
【００８８】
また、制御部２３０が、外光照度の検出結果について、明るいか、暗いか、あるいは、激しく変化するか、を判定する方法としては、様々な方法が用いられてもよい。
本実施形態では、外光照度について設定された閾値を使用する。具体的には、本実施形態では、制御部２３０は、外光照度の検出結果の値が当該閾値を超える場合には、明るいと判定し、また、外光照度の検出結果の値が当該閾値以下である場合には、暗いと判定する。
【００８９】
ここで、この閾値（外光照度に関する閾値）としては、任意の値が用いられてもよい。
また、この閾値（外光照度に関する閾値）は、例えば、あらかじめ固定的に定められてもよく、または、ユーザーにより行われる操作に応じて、あるいは、あらかじめ定められた方法で制御部２３０により自動的に、変更されてもよい。
【００９０】
また、本実施形態では、制御部２３０は、あらかじめ定められた方法で、外光照度の検出結果について、激しく変化するか否かを判定する。
ここで、外光照度の検出結果について、激しく変化するか否かを判定する方法としては、様々な方法が用いられてもよい。
【００９１】
本実施形態では、一例として、制御部２３０は、あらかじめ定められた期間に、外光照度の検出結果の値の変化量があらかじめ定められた閾値を超えた場合に、外光照度が激しく変化すると判定する。
ここで、この期間（外光照度の変化量を判定する期間）としては、任意の期間が用いられてもよい。
また、この閾値（外光照度の検出結果の値の変化量に関する閾値）としては、任意の値が用いられてもよい。
【００９２】
ステップＳ３の処理における判定の結果、制御部２３０は、外光照度の検出結果について、激しく変化するものではなく、明るいと判定した場合には、あらかじめ定められたように、シェードの透過率を下げ（ステップＳ４）、ガンマ値を設定する（ステップＳ５）。
【００９３】
また、ステップＳ３の処理における判定の結果、制御部２３０は、外光照度の検出結果について、激しく変化するものではなく、暗いと判定した場合には、あらかじめ定められたように、シェードの透過率を上げ（ステップＳ６）、ガンマ値を設定する（ステップＳ７）。
【００９４】
また、ステップＳ３の処理における判定の結果、制御部２３０は、外光照度の検出結果について、激しく変化すると判定した場合には、あらかじめ定められたように、この変化に合わせるように、シェードの透過率を変化させ（ステップＳ８）、ガンマ値を設定する（ステップＳ９）。
【００９５】
ここで、ステップＳ４の処理や、ステップＳ６の処理や、ステップＳ８の処理において、シェードの透過率を変化させる方法としては、様々な方法が用いられてもよい。
一例として、シェードの透過率を変化させる方法として、あらかじめ定められた量だけシェードの透過率を変化させる（下げる、または、上げる）方法を用いることができる。
他の一例として、シェードの透過率を変化させる方法として、外光照度または外光照度とその閾値（外光照度に関する閾値）との差と、シェードの透過率の変化量との対応を記憶部２４０に記憶しておき、制御部２３０が、記憶部２４０に記憶された当該対応を参照して、外光照度または外光照度とその閾値（外光照度に関する閾値）との差に対応したシェードの透過率の変化量を使用する方法を用いることができる。
【００９６】
また、ステップＳ５の処理や、ステップＳ７の処理や、ステップＳ９の処理において、ガンマ値を設定する方法としては、様々な方法が用いられてもよい。
一例として、バックライト輝度、外光照度、シェードの透過率などのうちの１つ以上と、ガンマ値との対応（例えば、ガンマテーブル）を記憶部２４０に記憶しておき、制御部２３０が、記憶部２４０に記憶された当該対応を参照して、バックライト輝度、外光照度、シェードの透過率などのうちの１つ以上に対応したガンマ値を設定する方法を用いることができる。
なお、例えば、記憶部２４０に複数種類のガンマテーブルを記憶（格納）しておき、制御部２３０が、あらかじめ定められたように、記憶部２４０に記憶された複数種類のガンマテーブルの中から最適な値を取得して使用することで、映像を見易くすることも可能である。
【００９７】
ステップＳ１の処理における判定の結果、制御部２３０は、検出した電池容量があらかじめ定められた閾値を超えると判定した場合には、バックライトの輝度を可変に設定するように制御するモード（本実施形態において、第２のモードに相当するバックライト輝度制御モード）を使用する。そして、制御部２３０は、バックライトの輝度を初期的に設定する（ステップＳ１０）。
【００９８】
ここで、バックライト輝度制御モードにおいて初期的に設定されるバックライト輝度としては、任意の値が用いられてもよく、例えば、あらかじめ定められた固定的な値が設定されてもよく、または、あらかじめ定められたように、シェードの透過率などの１つ以上に対応した値が設定されてもよい。
一例として、バックライト輝度制御モードにおいて初期的に設定されるバックライト輝度として、標準的な室内の照度で最適なバックライト輝度を用いることができる。
【００９９】
バックライト輝度制御モードでは、制御部２３０は、ステップＳ１１〜ステップＳ２０の処理を行う。
すなわち、制御部２３０は、外光照度を検出（測定）し、あらかじめ定められたように、外光照度の検出結果について、明るいか、暗いか、あるいは、激しく変化するか、を判定する（ステップＳ１１）。
【０１００】
ここで、制御部２３０が、外光照度を検出する方法としては、様々な方法が用いられてもよい。なお、これについては、例えば、ステップＳ３の処理の場合と同様な方法を用いることができる。
また、制御部２３０が、外光照度の検出結果について、明るいか、暗いか、あるいは、激しく変化するか、を判定する方法としては、様々な方法が用いられてもよい。なお、これについては、例えば、ステップＳ３の処理の場合と同様な方法を用いることができる。
【０１０１】
ステップＳ１１の処理における判定の結果、制御部２３０は、外光照度の検出結果について、激しく変化するものではなく、明るいと判定した場合には、あらかじめ定められたように、シェードの透過率を下げ（ステップＳ１２）、バックライト輝度を設定し（ステップＳ１３）、ガンマ値を設定する（ステップＳ１４）。
【０１０２】
また、ステップＳ１１の処理における判定の結果、制御部２３０は、外光照度の検出結果について、激しく変化するものではなく、暗いと判定した場合には、あらかじめ定められたように、シェードの透過率を上げ（ステップＳ１５）、バックライト輝度を設定し（ステップＳ１６）、ガンマ値を設定する（ステップＳ１７）。
【０１０３】
また、ステップＳ１１の処理における判定の結果、制御部２３０は、外光照度の検出結果について、激しく変化すると判定した場合には、あらかじめ定められたように、この変化に合わせるように、シェードの透過率を変化させ（ステップＳ１８）、バックライト輝度を設定し（ステップＳ１９）、ガンマ値を設定する（ステップＳ２０）。
【０１０４】
ここで、ステップＳ１２〜ステップＳ１３の処理や、ステップＳ１５〜ステップＳ１６の処理や、ステップＳ１８〜ステップＳ１９の処理において、シェードの透過率およびバックライト輝度を設定する方法としては、様々な方法が用いられてもよい。
一例として、シェードの透過率およびバックライト輝度を設定する方法として、図５を参照して説明したように、制御部２３０が、あらかじめ定められたように、シェードの透過率およびバックライト輝度を設定する方法を用いることができる。
【０１０５】
具体例として、シェードの透過率とバックライト輝度との適度な対応（例えば、対応テーブル）を記憶部２４０に記憶しておく。そして、制御部２３０は、シェードの透過率を変化させるとともに、記憶部２４０に記憶された当該対応に基づいて、変化後のシェードの透過率に合わせた適度なバックライト輝度を設定する。
【０１０６】
この場合、一例として、シェードの透過率を変化させる方法として、あらかじめ定められた量だけ（例えば、段階的に）シェードの透過率を変化させる（下げる、または、上げる）方法を用いることができる。
他の一例として、シェードの透過率を変化させる方法として、外光照度または外光照度とその閾値（外光照度に関する閾値）との差と、シェードの透過率の変化量との対応を記憶部２４０に記憶しておき、制御部２３０が、記憶部２４０に記憶された当該対応を参照して、外光照度または外光照度とその閾値（外光照度に関する閾値）との差に対応したシェードの透過率の変化量を使用する方法を用いることができる。
【０１０７】
他の具体例として、シェードの透過率とバックライト輝度との適度な対応（例えば、対応テーブル）を記憶部２４０に記憶しておく。そして、制御部２３０は、バックライト輝度を変化させるとともに、記憶部２４０に記憶された当該対応に基づいて、変化後のバックライト輝度に合わせた適度なシェードの透過率を設定することもできる。
【０１０８】
この場合、一例として、バックライト輝度を設定する方法として、あらかじめ定められた量だけ（例えば、段階的に）バックライト輝度を変化させる（下げる、または、上げる）方法を用いることができる。
他の一例として、バックライト輝度を設定する方法として、外光照度または外光照度とその閾値（外光照度に関する閾値）との差と、バックライト輝度の変化量との対応を記憶部２４０に記憶しておき、制御部２３０が、記憶部２４０に記憶された当該対応を参照して、外光照度または外光照度とその閾値（外光照度に関する閾値）との差に対応したバックライト輝度の変化量を使用する方法を用いることができる。
【０１０９】
また、ステップＳ１４の処理や、ステップＳ１７の処理や、ステップＳ２０の処理において、ガンマ値を設定する方法としては、様々な方法が用いられてもよい。
一例として、バックライト輝度、外光照度、シェードの透過率などのうちの１つ以上と、ガンマ値との対応（例えば、ガンマテーブル）を記憶部２４０に記憶しておき、制御部２３０が、記憶部２４０に記憶された当該対応を参照して、バックライト輝度、外光照度、シェードの透過率などのうちの１つ以上に対応したガンマ値を設定する方法を用いることができる。
なお、例えば、記憶部２４０に複数種類のガンマテーブルを記憶（格納）しておき、制御部２３０が、あらかじめ定められたように、記憶部２４０に記憶された複数種類のガンマテーブルの中から最適な値を取得して使用することで、映像を見易くすることも可能である。
【０１１０】
ここで、例えば、ステップＳ１〜ステップＳ２の処理において制御部２３０がバックライト輝度固定モードを使用することを決定した場合に、あらかじめ定められた一定の期間ごとに、ステップＳ３〜ステップＳ９の処理を繰り返して行う構成とすることもできる。また、ステップＳ３〜ステップＳ９の処理を繰り返して行う最大の期間をあらかじめ定めておき、この最大の期間が経過したときに、制御部２３０がバックライト輝度固定モードを終了させる構成とすることもできる。
【０１１１】
同様に、例えば、ステップＳ１およびステップＳ１０の処理において制御部２３０がバックライト輝度制御モードを使用することを決定した場合に、あらかじめ定められた一定の期間ごとに、ステップＳ１１〜ステップＳ２０の処理を繰り返して行う構成とすることもできる。また、ステップＳ１１〜ステップＳ２０の処理を繰り返して行う最大の期間をあらかじめ定めておき、この最大の期間が経過したときに、制御部２３０がバックライト輝度制御モードを終了させる構成とすることもできる。
【０１１２】
また、各処理に使用される値（例えば、閾値や期間）は、本実施形態では、記憶部２４０に記憶されて、制御部２３０により記憶部２４０から読み出されて使用される。
また、本実施形態では、ステップＳ１の処理において、あらかじめ定められた判定方法の例として、制御部２３０は、電源部２６０の残りの容量（電池容量）が閾値以下であるか否かに基づいて処理のモード（本実施形態では、バックライト輝度固定モード、バックライト輝度制御モード）を決定する構成を示したが、他の構成例として、ユーザーにより操作部２１０または操作ボタン部２５０が操作されて入力される指示に応じて処理のモードを決定する構成を用いることもできる。この場合、この指示としては、例えば、電源部２６０の残りの容量（電池容量）が少ないことをユーザーにより示す指示、または、電源部２６０の残りの容量（電池容量）が多いことをユーザーにより示す指示が用いられる。
【０１１３】
また、本実施形態では、ステップＳ３の処理およびステップＳ１１の処理において、外光照度が激しく変化するか否かを判定したが、他の構成例として、外光照度が激しく変化するか否かを判定せずに、外光照度が明るいかまたは暗いかを判定する構成が用いられてもよい。
また、本実施形態では、外光照度が明るいと判定した場合と、外光照度が暗いと判定した場合と、外光照度が激しく変化すると判定した場合とのそれぞれで制御を行う構成を示したが、他の構成例として、これらのうちの任意の１つまたは２つの場合のみに制御を行う構成を用いることもできる。
【０１１４】
また、本実施形態では、ステップＳ３の処理やステップＳ１１の処理において、制御部２３０は、外光照度の検出結果の値が閾値を超える場合には、明るいと判定し、また、外光照度の検出結果の値が当該閾値以下である場合には、暗いと判定する構成を示したが、他の構成が用いられてもよい。
他の構成の一例として、制御部２３０は、外光照度の検出結果の値が第１の閾値を超える場合には、明るいと判定し、また、外光照度の検出結果の値が第２の閾値（第１の閾値よりも小さい値）以下である場合には、暗いと判定する構成を用いることができる。この場合、制御部２３０は、外光照度の検出結果の値が前記第１の閾値以下で前記第２の閾値を超える場合には、例えば、何も制御を行わない。
【０１１５】
なお、ステップＳ３の処理やステップＳ１１の処理において、外光照度が激しく変化する場合（外界の照度変化の度合いが大きい場合）としては、例えば、表示装置１００を装着したユーザーが、歩いている、または、車両などの移動する乗り物に乗って、外界を眺めているような場合が考えられる。
外光照度が激しく変化する場合、例えば、ステップＳ８〜ステップＳ９の処理において、シェードの透過率やガンマ値を変化させる速度（例えば、制御のために参照される外光照度のサンプリングの頻度）に上限を設けて、その変化をなるべくユーザーにより気付かれないようにすることが可能である。同様に、外光照度が激しく変化する場合、例えば、ステップＳ１８〜ステップＳ２０の処理において、シェードの透過率やバックライト輝度やガンマ値を変化させる速度（例えば、制御のために参照される外光照度のサンプリングの頻度）に上限を設けて、その変化をなるべくユーザーにより気付かれないようにすることが可能である。
【０１１６】
このように、図６に示される動作の例では、バックライト輝度固定モード（第１のモードの例）では、バックライト輝度を低い値に固定して低消費電力化を図り、シェードの透過率やガンマ値を変化させて、外光照度に対応する。
一方、バックライト輝度制御モード（第２のモードの例）では、シェードの透過率やバックライト輝度やガンマ値を制御して、低消費電力化を図り、外光照度に対応する。
【０１１７】
ここで、図６に示される動作の例では、画像光形成装置（本実施形態では、左眼用画像形成部１０Ａ、右眼用画像形成部１０Ｂ）により形成される画像の光の出力強度を決定する値（光強度決定値）の一例としてバックライト輝度の値を用いて、有機ＥＬ（Ｅｌｅｃｔｒｏｌｕｍｉｎｅｓｃｅｎｃｅ）自体の光の強度の値を制御せずに、バックライト輝度を制御する。この構成により、バックライト輝度を固定するバックライト輝度固定モードと、バックライト輝度を固定せずに制御するバックライト輝度制御モードを使用する構成を示したが、バックライト輝度の値の代わりに、画像光形成装置（本実施形態では、左眼用画像形成部１０Ａ、右眼用画像形成部１０Ｂ）により形成される画像の光の出力強度を決定する値（光強度決定値）として、他の値が用いられてもよい。
一例として、光強度決定値の他の値として、有機ＥＬ（Ｅｌｅｃｔｒｏｌｕｍｉｎｅｓｃｅｎｃｅ）自体の光の強度の値を用いることができる。この場合、本実施形態に係るバックライト輝度固定モードの代わりに、有機ＥＬ自体の光の強度を固定するモードを使用し、また、本実施形態に係るバックライト輝度制御モードの代わりに、有機ＥＬ自体の光の強度を固定せずに制御するモードを使用する。
【０１１８】
また、本実施形態では、環境光のレベルを検出する外光センサー６５０および透過光のレベルを検出する透過光センサー６６０を備える構成を示すが、他の構成例として、透過光センサー６６０の代わりに、ユーザーの眼（左眼と右眼とのうちの一方または両方）を撮像するカメラなどのセンサーを任意の位置に任意の数だけ備える構成を用いることもできる。この場合、制御部２３０は、ユーザーの眼（左眼、右眼）を撮像した画像に基づいて、当該ユーザーの眼の状態として、当該ユーザーの眼の瞳孔の大きさを検出（判定）する機能を有する。このような瞳孔の大きさの検出は、任意の画像処理によって行われてもよく、例えば、公知の画像処理を利用して実現することができる。
通常、人の眼では、暗いもの（照度が低いもの）を見るときには瞳孔の大きさが大きくなり、明るいもの（照度が大きいもの）を見るときには瞳孔の大きさが小さくなる。これに鑑みて、例えば、制御部２３０は、瞳孔の大きさの検出結果の値が瞳孔の大きさに関する第１の閾値を超える場合には、暗いと判定し、また、瞳孔の大きさの検出結果の値が瞳孔の大きさに関する第２の閾値（瞳孔の大きさに関する第１の閾値と同じ値、または、当該第１の閾値よりも小さい値）以下である場合には、明るいと判定する構成を用いることができる。この場合、制御部２３０は、瞳孔の大きさの検出結果の値が前記第１の閾値以下で前記第２の閾値を超える場合には、例えば、何も制御を行わない。
このような構成では、例えば、ユーザーの眼の瞳孔の大きさを検出するためのカメラなどのセンサーを、透過光センサーと同等なものとみなして使用することが可能である。
【０１１９】
以上のように、本実施形態では、外界からの光を反射部の画像取り出しエリアに透過させるシースルー型の表示装置（透過型表示装置）において、外光（環境光）に対する透過光の割合（透過率）を調整することが可能なシェード（左眼用シェード４２０Ａ、右眼用シェード４２０Ｂ）を備え、電源の残量（例えば、電池容量）などに応じて、画像光形成装置（本実施形態では、左眼用画像形成部１０Ａ、右眼用画像形成部１０Ｂ）により形成される画像の光の出力強度を決定する値（図６の例では、バックライト輝度の値）を固定するモード（第１のモードの例）と、この値を可変に制御するモード（第２のモードの例）を使用する。そして、本実施形態に係る透過型表示装置では、この値を固定するモードにおいて、外光のレベル（例えば、照度）に応じて、シェードの透過率や、ガンマ値を制御し、また、この値を制御するモードにおいて、外光のレベル（例えば、照度）に応じて、シェードの透過率や、この値（図６の例では、バックライト輝度の値）や、ガンマ値を制御する。
【０１２０】
ここで、透過型表示装置では、外光のレベル（例えば、照度）により、映像（画像）の見栄えが大きく変化し得る。
本実施形態に係る透過型表示装置によれば、ユーザーの眼に入ってくる外光を調整するために、外光のレベルを把握し、外光のレベルに合わせて、ブラインドのように外光の入ってくる量（シェードの透過率）を電気的に変化させることにより、バックライト輝度などに応じて、あらゆる環境光下で常に、最適な映像の見栄え（映像の見易さ）を確保する。これにより、本実施形態に係る透過型表示装置では、例えば、電源の残量（例えば、電池容量）を考慮して、バックライト輝度などと、ユーザーの眼に入ってくる外光のレベル（シェードの透過率）などを最適化することで、常に映像を見易い状態を保つことが可能となる。また、本実施形態に係る透過型表示装置では、最適な映像の見栄えを実現することで、例えば、不必要に映像の輝度を上げ過ぎることをなくして、低消費電力化を図ることが可能となる。
【０１２１】
このように、本実施形態に係る透過型表示装置では、低消費電力化を可能とするとともに、ユーザーがあらゆる環境光下においても最適な見易い映像を鑑賞することを可能とすることができる。
具体例として、本実施形態に係る透過型表示装置では、光源の輝度（本実施形態では、バックライト輝度）の制御とシェード（左眼用シェード４２０Ａ、右眼用シェード４２０Ｂ）の透過率の制御とのコンビネーションにより、画質（例えば、色彩）の最適化を図ることが可能であり、また、低消費電力化を図ることが可能である。
これにより、本実施形態に係る透過型表示装置では、電源の寿命を延ばすことや、表示される映像の画質を向上させることができる。
【０１２２】
例えば、従来において、一定の透過率を有するシェードを使用する透過型表示装置では、暗い場所であっても明るい場所であっても、シェードの透過率は同じ値である。このため、このような透過型表示装置では、暗い場所においては、外界の様子が暗過ぎてわかりづらく、また、明るい場所においては、外界が明るいために表示される映像が薄くなって見えにくくなり、シースルー（透過）の良さを出し切れていなかった。また、このような透過型表示装置では、例えば、外光が暗い場合に、映像はきれいに見えるが、無駄にバックライト輝度が高いために、消費電力が大きくなるようなことも考えられる。
これに対して、本実施形態に係る透過型表示装置では、外光のレベルに応じてシェードの透過率を変化させる。
一例として、外光が明るい場合には、映像が薄くなるため、ガンマ値などを調整し、また、外光が暗い場合には、バックライト輝度などを最適に設定して、これにより、低消費電力化を図ることも考えられる。
【０１２３】
［以上に示した実施形態のまとめ］
ここで、シェード（左眼用シェード４２０Ａ、右眼用シェード４２０Ｂ）は、例えば、表示部（左眼用表示部１１０Ａ、右眼用表示部１１０Ｂ）に対して、一体として備えられてもよく、または、着脱可能な構成で備えられてもよい。
【０１２４】
また、以上に示した実施形態では、左眼用光変調素子４１１Ａおよび右眼用光変調素子４１１Ｂとして液晶ディスプレイ（ＬＣＤ）を用いて、ＬＣＤの光源としてバックライト光源（左眼用バックライト光源４１０Ａ、右眼用バックライト光源４１０Ｂ）を用いたが、他の構成例として、ＬＣＤの光源として、サイドライト光源を用いること、または、フロントライト光源を用いることもできる。
また、ＬＣＤの代わりに、例えば、レーザー走引表示装置、あるいは、有機ＥＬ表示パネル、あるいは、無機ＥＬ表示パネルなどを用いることもできる。
【０１２５】
また、対となっている左眼用の構成部と右眼用の構成部について、例えば、左眼用と右眼用とで同一の制御を行ってもよく、または、左眼用と右眼用とで異なる制御を行ってもよい。
また、対となっている左眼用の構成部と右眼用の構成部について、例えば、左眼用と右眼用との両方に対して制御（同一の制御または異なる制御）を行ってもよく、または、左眼用と右眼用とのうちの一方のみに制御を行ってもよい。
【０１２６】
また、以上の実施形態では、制御装置２００の操作入力部２７０（本実施形態では、操作部２１０と操作ボタン部２５０とのうちの一方または両方）をユーザーが操作することで、その操作入力を制御部２３０が検出する例を示したが、他の構成例として、ユーザーからの操作入力を受け付ける操作入力部の一部または全部が、例えば、表示装置１００に備えられてもよい。
【０１２７】
また、以上の実施形態では、左眼用と右眼用との両方の構成部を有する透過型表示装置（両眼用の透過型表示装置）を例として示したが、他の構成例として、左眼用と右眼用とのうちの一方のみの透過型表示装置（片眼用の透過型表示装置）に適用されてもよい。
【０１２８】
また、本発明は、例えば、導光方式として、ホログラムの反射面を使用するものに適用されてもよい。
また、本発明は、例えば、導光板を用いずに、画像光を単に反射面で反射させるようなものに適用されてもよい。
なお、本発明は、例えば、公知の様々な技術が適用されてもよい。具体例として、表示装置１００は、光学系として、瞳分割方式シースルー光学系を備えてもよく、あるいは、半透過鏡方式シースルー光学系を備えてもよい。また、具体例として、表示装置１００は、光学系として、特開２００８−２０７７０号公報に記載された画像表示装置が備える光学系、特許第４６３６１６４号公報に記載された頭部装着型ディスプレイが備える光学系、国際公開第２００９／０４１０５５号に記載されたビーム走査型表示装置が備える光学系、あるいは、特許第４０５５２８３号公報に記載された表示装置が備える光学系を備えてもよい。
【０１２９】
図７〜図１２を参照して、本発明の実施形態に係る透過型表示装置の変形例について説明する。
図７は、本発明の一実施形態に係る透過型表示装置の外観図である。
図７に示される透過型表示装置では、表示装置１００において、左眼用の外光センサー８１１Ａおよび左眼用の透過光センサー８１２Ａを左眼側に備え、右眼用の外光センサー８１１Ｂおよび右眼用の透過光センサー８１２Ｂを右眼側に備える。
【０１３０】
なお、他の構成例として、図７に示される透過型表示装置の表示装置１００において、左眼用の外光センサー８１１Ａおよび左眼用の透過光センサー８１２Ａを左眼側に備える一方、右眼側にはこのようなセンサー（右眼用の外光センサー８１１Ｂおよび右眼用の透過光センサー８１２Ｂ）を備えない構成とすることも可能である。
【０１３１】
図８は、本発明の一実施形態に係る透過型表示装置の一部の概略的な構成例を示すブロック図である。
なお、図８には、表示装置１００と制御装置２００に関し、変形例に係る構成部のみを示してある。図８に示される表示装置１００と制御装置２００に関し、他の構成部（変形例に係る構成部以外の構成部）については、図３に示されるものと同様である。
表示装置１００は、左眼用の外光センサー（左眼用外光センサー）８１１Ａと、左眼用の透過光センサー（左眼用透過光センサー）８１２Ａと、右眼用の外光センサー（右眼用外光センサー）８１１Ｂと、右眼用の透過光センサー（右眼用透過光センサー）８１２Ｂと、左眼用シェード４２０Ａと、右眼用シェード４２０Ｂと、左眼用のシェードドライバー（左眼用シェードドライバー）８１３Ａと、右眼用のシェードドライバー（右眼用シェードドライバー）８１３Ｂと、を備える。
【０１３２】
図８に示される構成において、左眼用外光センサー８１１Ａ、左眼用透過光センサー８１２Ａ、右眼用外光センサー８１１Ｂ、および右眼用透過光センサー８１２Ｂは、それぞれ、検出対象となる光のレベルを検出した結果を制御装置２００の制御部２３０に送信する。
そして、制御装置２００の制御部２３０は、これら左右の両方のセンサー（左眼用外光センサー８１１Ａ、左眼用透過光センサー８１２Ａ、右眼用外光センサー８１１Ｂ、および右眼用透過光センサー８１２Ｂ）に対応した機能を有する。
【０１３３】
図８に示される構成において、左眼用シェードドライバー８１３Ａは、制御装置２００の制御部２３０により制御されて、左眼用シェード４２０Ａを制御する。また、右眼用シェードドライバー８１３Ｂは、制御装置２００の制御部２３０により制御されて、右眼用シェード４２０Ｂを制御する。
そして、制御装置２００の制御部２３０は、これら左右の両方のシェードドライバー（左眼用シェードドライバー８１３Ａ、右眼用シェードドライバー８１３Ｂ）に対応した機能を有する。
【０１３４】
図９は、本発明の一実施形態に係る透過型表示装置の外観図である。
図９に示される透過型表示装置では、表示装置１００において、シェード部４２０（左眼用シェード４２０Ａおよび右眼用シェード４２０Ｂ）の左右の中央付近に、左眼用と右眼用との両方に共通な外光センサー８２１と、左眼用と右眼用との両方に共通な透過光センサー８２２と、を備える。
【０１３５】
図１０は、本発明の一実施形態に係る透過型表示装置の外観図である。
図１０に示される透過型表示装置では、表示装置１００において、左眼用のカメラ（左眼用カメラ）８３１Ａを、左眼用反射部２１Ａの画像取り出しエリアに対して左上の位置に、ユーザーの左眼３１０Ａ（がくると想定される位置）を撮像する向きで、配置してある。この構成では、左眼用カメラ８３１Ａは、ユーザーの左眼３１０Ａ（がくると想定される位置）を撮像し、撮像した画像（例えば、動画像）をユーザーの左眼３１０Ａの状態の検出結果として制御装置２００の制御部２３０に送信する。ここで、左眼用カメラ８３１Ａは、ユーザーが表示装置１００を装着した状態において、当該ユーザーの左眼３１０Ａの状態を検出する。
なお、左眼用カメラ８３１Ａとしては、例えば、ＣＣＤ（Ｃｈａｒｇｅ  Ｃｏｕｐｌｅｄ  Ｄｅｖｉｃｅ）のカメラを用いることができる。
【０１３６】
また、図１０に示される透過型表示装置では、表示装置１００において、右眼用のカメラ（右眼用カメラ）８３１Ｂを、右眼用反射部２１Ｂの画像取り出しエリアに対して右上の位置に、ユーザーの右眼（がくると想定される位置）を撮像する向きで、配置してある。この構成では、右眼用カメラ８３１Ｂは、ユーザーの右眼（がくると想定される位置）を撮像し、撮像した画像（例えば、動画像）をユーザーの右眼の状態の検出結果として制御装置２００の制御部２３０に送信する。ここで、右眼用カメラ８３１Ｂは、ユーザーが表示装置１００を装着した状態において、当該ユーザーの右眼の状態を検出する。
なお、右眼用カメラ８３１Ｂとしては、例えば、ＣＣＤ（Ｃｈａｒｇｅ  Ｃｏｕｐｌｅｄ  Ｄｅｖｉｃｅ）のカメラを用いることができる。
【０１３７】
図１１は、本発明の一実施形態に係る透過型表示装置の一部の概略的な構成例を示すブロック図である。
なお、図１１には、表示装置１００と制御装置２００に関し、変形例に係る構成部のみを示してある。図１１に示される表示装置１００と制御装置２００に関し、他の構成部（変形例に係る構成部以外の構成部）については、図３に示されるものと同様である。
表示装置１００は、左眼用の光変調素子（左眼用光変調素子）９０１Ａと、右眼用の光変調素子（右眼用光変調素子）９０１Ｂと、左眼用の光源（左眼用光源）９０２Ａと、右眼用の光源（右眼用光源）９０２Ｂと、左眼用の光変調素子コントローラー（左眼用光変調素子コントローラー）９０３Ａと、右眼用の光変調素子コントローラー（右眼用光変調素子コントローラー）９０３Ｂと、左眼用の光源ドライバー（左眼用光源ドライバー）９０４Ａと、右眼用の光源ドライバー（右眼用光源ドライバー）９０４Ｂと、を備える。
【０１３８】
図１１に示される構成において、左眼用光変調素子コントローラー９０３Ａは、制御装置２００の制御部２３０により制御されて、左眼用光変調素子９０１Ａを制御する。
また、右眼用光変調素子コントローラー９０３Ｂは、制御装置２００の制御部２３０により制御されて、右眼用光変調素子９０１Ｂを制御する。
そして、制御装置２００の制御部２３０は、これら左右の両方の光変調素子コントローラー（左眼用光変調素子コントローラー９０３Ａ、右眼用光変調素子コントローラー９０３Ｂ）に対応した機能を有する。
【０１３９】
図１１に示される構成において、左眼用光源ドライバー９０４Ａは、制御装置２００の制御部２３０により制御されて、左眼用光源９０２Ａを制御する。
また、右眼用光源ドライバー９０４Ｂは、制御装置２００の制御部２３０により制御されて、右眼用光源９０２Ｂを制御する。
そして、制御装置２００の制御部２３０は、これら左右の両方の光源ドライバー（左眼用光源ドライバー９０４Ａ、右眼用光源ドライバー９０４Ｂ）に対応した機能を有する。
【０１４０】
ここで、光源（左眼用光源９０２Ａ、右眼用光源９０２Ｂ）としては、任意のものが用いられてもよく、例えば、バックライト光源以外に、サイドライト光源、または、フロントライト光源を用いることもできる。
また、光源ドライバー（左眼用光源ドライバー９０４Ａ、右眼用光源ドライバー９０４Ｂ）としては、制御対象となる光源（左眼用光源９０２Ａ、右眼用光源９０２Ｂ）に対応するものが用いられる。
【０１４１】
図１２は、本発明の一実施形態に係る透過型表示装置の一部の概略的な構成例を示すブロック図である。
なお、図１２には、表示装置１００と制御装置２００に関し、変形例に係る構成部のみを示してある。図１２に示される表示装置１００と制御装置２００に関し、他の構成部（変形例に係る構成部以外の構成部）については、図３に示されるものと同様である。
表示装置１００は、左眼用の発光表示部（左眼用発光表示部）９１１Ａと、右眼用の発光表示部（右眼用発光表示部）９１１Ｂと、左眼用のコントローラー（左眼用コントローラー）９１２Ａと、右眼用のコントローラー（右眼用コントローラー）９１２Ｂと、を備える。
【０１４２】
ここで、発光表示部（左眼用発光表示部９１１Ａ、右眼用発光表示部９１１Ｂ）としては、例えば、ＥＬ表示パネルのように、電圧をかけると発光する物質を利用した表示部が用いられている。
【０１４３】
図１２に示される構成において、左眼用コントローラー９１２Ａは、制御装置２００の制御部２３０により制御されて、例えば左眼用の画像信号に応じた画像を表示させるように、左眼用発光表示部９１１Ａを制御する。
また、右眼用コントローラー９１２Ｂは、制御装置２００の制御部２３０により制御されて、例えば右眼用の画像信号に応じた画像を表示させるように、右眼用発光表示部９１１Ｂを制御する。
そして、制御装置２００の制御部２３０は、例えば、左眼用の画像信号に応じた画像を表示させるように左眼用コントローラー９１２Ａを制御する機能、右眼用の画像信号に応じた画像を表示させるように右眼用コントローラー９１２Ｂを制御する機能を有する。
【０１４４】
なお、図１２に示される構成では、例えば、表示装置１００において、バックライトなどの光源や、当該光源のドライバーを備えなくてもよい。
【０１４５】
以上、この発明の実施形態について図面を参照して詳述してきたが、具体的な構成はこの実施形態に限られるものではなく、この発明の要旨を逸脱しない範囲の設計等も含まれる。
【０１４６】
なお、以上に説明した透過型表示装置における任意の構成部の機能を実現するためのプログラムを、コンピューター読み取り可能な記録媒体に記録し、そのプログラムをコンピューターシステムに読み込ませて実行するようにしてもよい。なお、ここで言う「コンピューターシステム」とは、ＯＳ（Ｏｐｅｒａｔｉｎｇ  Ｓｙｓｔｅｍ）や周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことを言う。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【０１４７】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【０１４８】
１０Ａ…左眼用画像形成部、１０Ｂ…右眼用画像形成部、１１Ａ…左眼用画像生成部、１１Ｂ…右眼用画像生成部、１２Ａ…左眼用投射光学系、２０Ａ…左眼用導光部、２１Ａ…左眼用反射部、２１Ｂ…右眼用反射部、１００…表示装置、１１０Ａ…左眼用表示部、１１０Ｂ…右眼用表示部、２００…制御装置、２１０…操作部、２３０…制御部、２４０…記憶部、２５０…操作ボタン部、２６０…電源部（例えば、バッテリー）、２７０…操作入力部、３１０Ａ…ユーザーの左眼、４１０Ａ…左眼用バックライト光源、４１０Ｂ…右眼用バックライト光源、４１１Ａ…左眼用光変調素子、４１１Ｂ…右眼用光変調素子、４２０…シェード部、４２０Ａ…左眼用シェード、４２０Ｂ…右眼用シェード、５１０、５２０…シェードの外観、６２０Ａ…左眼用光変調素子コントローラー、６２０Ｂ…右眼用光変調素子コントローラー、６３０Ａ…左眼用バックライト光源ドライバー、６３０Ｂ…右眼用バックライト光源ドライバー、６４０…シェードドライバー、６５０…外光センサー、６６０…透過光センサー、７１０、７１１…電極、８１１Ａ…左眼用外光センサー、８１１Ｂ…右眼用外光センサー、８１２Ａ…左眼用透過光センサー、８１２Ｂ…右眼用透過光センサー、８１３Ａ…左眼用シェードドライバー、８１３Ｂ…右眼用シェードドライバー、８２１…外光センサー、８２２…透過光センサー、８３１Ａ…左眼用カメラ、８３１Ｂ…右眼用カメラ、９０１Ａ…左眼用光変調素子、９０１Ｂ…右眼用光変調素子、９０２Ａ…左眼用光源、９０２Ｂ…右眼用光源、９０３Ａ…光変調素子コントローラー、９０３Ｂ…光変調素子コントローラー、９０４Ａ…光源ドライバー、９０４Ｂ…光源ドライバー、９１１Ａ…左眼用発光表示部、９１１Ｂ…右眼用発光表示部、９１２Ａ…左眼用コントローラー、９１２Ｂ…右眼用コントローラー、１００１、１００２、１０１１、１０１２…点、２００１〜２００３…特性、
【図１】
2013122519.tif 000003
【図２】
2013122519.tif 000004
【図３】
2013122519.tif 000005
【図４】
2013122519.tif 000006
【図５】
2013122519.tif 000007
【図６】
2013122519.tif 000008
【図７】
2013122519.tif 000009
【図８】
2013122519.tif 000010
【図９】
2013122519.tif 000011
【図１０】
2013122519.tif 000012
【図１１】
2013122519.tif 000013
【図１２】
2013122519.tif 000014